(57)【要約】【課題】  ディスクを変更し、選曲した後の再生、イントロ（音出し）までに掛かる時間を短縮し、音を途切れさすことなくディスクチェンジ後すぐに再生を行うことができ、また、複数のディスクに同一曲が収録されていた場合に、その曲をランダム再生時の選曲対象から省くことができるディスク再生装置を得る。【解決手段】  ディスク再生機器とそれ以外の音響機器とを備え該音響機器の動作を検知する動作検知手段３と、この動作検知手段３の出力に基づきディスク以外の音響機器の動作中に上記ディスク再生機器により再生されるディスクに記録されている情報を先読みして記憶する先読み記憶手段６，７，８と、この先読み記憶手段の出力に基づいてディスクの曲の変更またはこのディスクの切り換え時先読み記憶手段に記憶されている先読みした情報に対応する曲を再生する情報再生手段９，１１，１２とを備える。【選択図】        図１
2006221746.tif 000002
【特許請求の範囲】
【請求項１】
ディスク再生機器とそれ以外の音響機器とを備え該音響機器の動作を検知する動作検知手段と、上記動作検知手段の出力に基づき上記音響機器の動作中に上記ディスク再生機器により再生されるディスクに記憶されている情報を先読みして記憶する先読み記憶手段と、該先読み記憶手段の出力に基づいて上記ディスクの曲の変更または該ディスクの切り換え時上記先読み記憶手段に記憶されている先読みした情報に対応する曲を再生する情報再生手段と
を備えたディスク再生装置。
【請求項２】
上記先読み記憶手段は、先読みした情報を利用して収録曲の分析を行い、複数のディスクに同一曲が収録されていた場合に、その曲をランダム再生時の選曲対象から省くことを特徴とする請求項１記載のディスク再生装置。
【請求項３】
上記先読み記憶手段は、ディスクに記録されている全曲の少なくとも最初の部分の情報を先読みして記憶することを特徴とする請求項１または請求項２記載のディスク再生装置。
【発明の詳細な説明】
【技術分野】
【０００１】
この発明は、ディスク再生装置に関し、特に、ディスク再生オーディオ部を構成する機器の一つとしてのチェンジャー式ディスク再生装置に関するものである。
【背景技術】
【０００２】
従来、再生途中でディスクを取り出した後に、再度同じディスクをセットして続きを再生する場合でも、そのディスクの再生をしたところから前回再生していた条件で続けて次に再生を再開することができるディスク再生装置がある（例えば、特許文献１参照）。
【０００３】
【特許文献１】特開２００１−３１２８５１号公報
【発明の開示】
【発明が解決しようとする課題】
【０００４】
しかしながら、上述のような従来装置の場合は、ディスク再生装置に対して再生要求があった場合のみ、ディスク内の情報を読み込んでいるため、マルチセッションディスクなどのディスク内情報の形態によっては、再生要求から音出しまでの所要時間が長くなることがあり、また、ディスクを変更し、選曲した後、次のディスクの選曲トラック再生までの無音となる所要時間が長く、さらに、ディスク再生装置内にディスクが複数枚格納されている場合にランダム再生を行うと、ディスク番号と曲番号の管理のみでは、曲の情報が分からず、ランダム再生中に同じ曲が何度も再生される可能性がある等の課題があった。
【０００５】
この発明は、前記のような課題を解決するためになされたもので、ディスク内情報の形態と無関係に他の機器からディスクを選択、またはディスク再生装置内の別ディスクに変更し、選曲した後の再生、イントロ（音出し）までに掛かる時間を短縮し、音を途切れさすことなくディスクチェンジ後すぐに再生を行うことができ、また、複数のディスクに同一曲が収録されていた場合に、その曲をランダム再生時の選曲対象から省くことができるディスク再生装置を得ることを目的とする。
【課題を解決するための手段】
【０００６】
この発明に係るディスク再生装置は、ディスク再生機器とそれ以外の音響機器とを備え該音響機器の動作を検知する動作検知手段と、この動作検知手段の出力に基づき上記音響機器の動作中に上記ディスク再生機器により再生されるディスクに記録されている情報を先読みして記憶する先読み記憶手段と、この先読み記憶手段の出力に基づいてディスクの曲の変更またはこのディスクの切り換え時先読み記憶手段に記憶されている先読みした情報に対応する曲を再生する情報再生手段とを備えたものである。
【発明の効果】
【０００７】
この発明は、音響機器からディスクを選択またはディスク駆動部内の別ディスクに変更し、選曲した後の再生、音出しまでに掛かる時間を短縮することができ、音を途切れさすことなくディスクチェンジ後すぐに再生を行うことができるという効果がある。
【発明を実施するための最良の形態】
【０００８】
以下、この発明の実施の一形態を、図１〜図４を参照して説明する。
実施の形態１．
図１は、この発明の実施の形態１によるディスク再生装置の構成を示すブロック図である。
図１において、ディスク再生装置は、他の音楽メディア例えばラジオ１およびカセット２の動作を検知する動作検知手段３と、この動作検知手段３でラジオ１およびカセット２等の他の音楽メディアが動作していることが検知されると、その検知出力に基づいて複数のディスクが格納されたディスク駆動部４に関する本来の再生モードとユーザーがディスクを再生していないときその複数ディスクの各種情報および各曲イントロ（音出し）部分をラジオ１およびカセット２が使用されている間に読み込んで記憶しておく先読みモードの動作を選択制御する動作制御手段５と、この動作制御手段５で選択制御される動作モードを判別する選択動作判別手段６と、この選択動作判別手段６で判別された動作モードに応じて先読みモードの場合は、ディスク駆動部４に格納されている複数のディスクの各種情報、特に最初の部分の情報と各曲イントロ部分を記憶手段８に記憶させ、また、所謂ランダム再生の場合はディスク内の少なくとも各曲を所定時間例えば各曲の最初の部分即ち頭部分数秒分を取り出して記憶手段８に記憶させる各曲記憶制御手段７とを備える。
【０００９】
また、ディスク再生装置は、選択動作判別手段６で判別された動作モードに応じて通常の再生モードの場合はディスク駆動部４の各ディスクからの情報を再生する再生手段９と、この再生手段９からの再生出力を外部に例えば音楽情報として放音するスピーカ１０と、再生手段９からの再生出力の特定部分、例えばそのリードアウト信号からディスクの最終曲の終端を検知するディスク曲終端検知手段１１と、このディスク曲終端検知手段１１からの出力に基づいて曲の変わり目またはディスクの切り換え時に記憶手段８を制御して次の曲または次のディスクの内容を読み取りスピーカ１０より放音させる記憶読取手段１２とを備える。
【００１０】
なお、動作制御手段５、選択動作判別手段６、各曲記憶制御手段７および記憶手段８は、動作検知手段３の出力に基づきディスク以外の機器の動作中に複数のディスクに記録されている情報や曲の少なくとも頭部分を先読みして記憶する先読み記憶手段を構成し、再生手段９、ディスク曲終端検知手段１１および記憶読取手段１２は、先読み記憶手段の出力に基づいてディスクの曲またはこのディスクの切り換え時先読み記憶手段８に記憶されている情報に対応する曲を再生させる情報再生手段を構成する。
【００１１】
次に、動作について、図２〜図４を参照して説明する。
まず、本実施の形態１におけるディスク再生装置の動作を、図２のフローチャートを参照して説明する。
動作検知手段３からの検知出力によりラジオ１およびカセット２等の他の音楽メディアが使用されていることが分かると、動作制御手段５はディスク駆動部４に格納されている複数のディスク内のＴＯＣ（Ｔａｂｌｅ  ｏｆ  Ｃｏｎｔｅｎｔｓ）情報及び、全ＭＰ３ファイル・ＷＭＡファイルのＦｉｌｅＳｙｓｔｅｍ情報を読み込み（ステップＳＴ１）、次いで、各曲のイントロ部分をＮ秒分読み込み（ステップＳＴ２）、このときその動作モードが先読みモードにある選択動作判別手段６および各曲記憶制御手段７を介して記憶手段８内の例えばＲＡＭ−Ａに蓄積する。このとき、記憶手段８内に蓄積する時間秒数は、ディスク駆動部４の各ディスクからの情報によって直接再生できるまでの時間以上とする。
【００１２】
次に、同様にして各曲に付属するＩＤ−３Ｔａｇ情報（ＭＰ３ファイルに記録される、曲名・アーティスト名などのデータ）を読み込み（ステップＳＴ３）、記憶手段８内のＲＡＭ−Ｂに蓄積する。このとき各曲記憶制御手段７では記憶手段８内のＲＡＭ−Ｂに蓄積されたＡｉｒｔｉｓｔＮａｍｅおよびＴｒａｃｋＴｉｔｌｅを用いて各曲の比較を行い（ステップＳＴ４）、比較対象の両曲の情報とも同一である場合、つまり共に同一のＴａｇ情報を有する場合は、両者は同一曲であると判断し、その同一のＴａｇ情報を持つ両曲の一方をランダム再生時の選曲対象から削除して外す（ステップＳＴ５）。以上の処理を、ディスク駆動部４のディスク内の全曲についてチェックを行い（ステップＳＴ６）、そのディスク内の全曲のチェックが完了したら、更に、ディスク駆動部４のスロット内に格納される全ディスクについて同様のチェックを行い（ステップＳＴ７）、全ディスクのチェックが終わっていなければ、ステップＳＴ４に戻って上記の動作を繰り返す。
【００１３】
なお、ディスク駆動部４に関する本来の再生モードが動作制御手段５を介して選択動作判別手段６により判別されると、ディスク駆動部４からの音楽情報等が再生手段９で再生されてスピーカ１０から放音されるが、一方、記憶手段８に記憶されている音楽情報等を他の曲または他のディスクのものに切り換えて聞きたい場合は、再生手段９からの再出力よりそのディスクの例えばリードアウト信号からディスク曲終端検知手段１１によりディスクの最終曲の終端を検知し、この検知出力を受け時点で記憶読取手段１２により記憶手段８から次の曲または次のディスクの曲を読み取って再生させることになる。
【００１４】
これにより、他の機器からディスクを選択、またはディスク駆動部４内の別ディスクに変更し、選曲した後の再生、イントロ（音出し）までに掛かる時間を短縮することができ、音を途切れさすことなくディスクチェンジ後すぐに再生を行うことが可能となる。
【００１５】
次に、ランダム再生時のプレイリストの管理方法について説明する。
全ディスクの全圧縮オーディオのＩＤ−３Ｔａｇ読み込み時に、ディスク番号とトラック番号に対応付けて、ＡｉｒｔｉｓｔＮａｍｅおよびＴｒａｃｋＮａｍｅを記憶手段８内のＲＡＭ−Ｂに記憶する。全情報を記憶し終えた後、ＲＡＭ−Ｂ内を走査してＡｉｒｔｉｓｔＮａｍｅが同一かつＴｒａｃｋＮａｍｅが同一であるトラックを省いた形で、図４に示すようなランダム選曲用のプレイリストを作成する。
【００１６】
次に、ディスクチェンジ時の制御方法について、ディスク駆動部４のスロット内の全ディスクを対象としたランダム再生を例にとり、図３を参照して説明する。
通常、音楽データは音飛び防止のために記憶手段８のショックプルーフメモリ（耐震性メモリ）ＳＰＭ内に先読みされたデータを使用して、再生が行われている。図３において、ＤＩＳＣ−ＡのＴｒａｃｋ−Ｃの再生終了時、次にランダムに選曲されたトラックがＤＩＳＣ−ＣのＴｒａｃｋ−Ｃであった場合、図２のステップＳＴ２で記憶手段８のＲＡＭ−Ａ内に蓄積されたデータを使用して、ＤＩＳＣ−ＣのＴｒａｃｋ−Ｃの再生を開始する。その間に、ディスク駆動部４のスロットのディスクチェンジを行い、ＤＩＳＣ−ＣのＴｒａｃｋ−Ｃのデータを、ショックプルーフメモリＳＰＭにエンコードを開始した時点で、データの読み込み先を、ＲＡＭ−ＡからショックプルーフメモリＳＰＭに切り換え、再生を継続する。
【００１７】
また、図４に示すように、圧縮オーディオが対象となるランダム再生機能が実施される場合は、ランダム選曲用プレイリスト内から選曲を行うことで、ランダム再生中に何度も同じ曲が出現することを防止できる。つまり、図４においては、ランダム再生するためのランダム選曲用プレイリストが管理されており、図４の左側に示す記憶手段８内のＲＡＭ−Ｂ内の２番目と６番目の曲は重複と判断し、プレイリストから一方の例えば６番目の曲ＤＩＳＣ＝Ｂ、Ｔ＝Ａを除き、他方の２番目の曲ＤＩＳＣ＝Ａ、Ｔ＝Ｂを残して、図４の右側に示すようなランダム選曲用プレイリストとし、ランダム再生のとき、この重複した２曲を１つの曲として管理しておくようする。
【００１８】
このようにして、先読みした情報を利用して収録曲の分析を行うことで、複数ディスクに同一曲が収録されていた場合に、その曲をランダム再生時の選曲対象から省くことなどに応用することが可能となり、ランダム再生中に同じ曲が何度も再生されることがなくなり、効率よく且つ正確にディスクの再生を行うことができる。但し、この手法は、圧縮オーディオ再生時に限るものである。
【００１９】
以上のように、本実施の形態によれば、ディスク駆動部４内に格納される複数ディスクの各種情報および各曲イントロ部分を、ユーザーがディスクを再生していないとき、ラジオやカセット等の他の音響機器が使用されている間に記憶手段８が上記ディスクに記録されている情報を先読みして記憶しておくことで、他の音響機器からディスクを選択、またはディスク駆動部４内の別ディスクに変更し、選曲した後の再生、音出しまでに掛かる時間を短縮することができ、音を途切れさすことなくディスクチェンジ後すぐに再生を行うことが可能となる。また、先読みした情報を利用して収録曲の分析を行うことで、複数ディスクに同一曲が収録されていた場合に、その曲をランダム再生時の選曲対象から省くことができ、冗長性の少ない再生を効率よく行うことができる。
【００２０】
また、ユーザーによりディスクが取り出され、再度挿入された場合でも、識別情報、つまりプレイリストの曲を照合し、過去に再生履歴がある場合、前回と同じ場所からの再生を再開できる。また、他のユーザーにより再生するディスクが変更された場合でも、元のユーザーの指示により、自動的に前回再生していたディスクを探し出し、前回の続きから再生を再開できる。また、例えば２枚組ディスク等で、１枚目、２枚目を連続したスロットに格納してなくとも、１枚目再生終了後に自動的に２枚目のディスクを検索し、再生を継続させることができる。
さらに、ユーザーの好みを把握するのに、例えば記憶手段８に各曲の再生回数をカウントして記憶する再生回数メモリ（図示せず）を設け、再生回数の多いものから順に自動的にオリジナルのプレイリストを生成するようにしてもよく、これにより、ユーザーエントリ情報等と連携し、ユーザー毎の好みを把握することができる。
【図面の簡単な説明】
【００２１】
【図１】この発明の実施の形態１によるディスク再生装置の構成を示すブロック図である。
【図２】この発明の実施の形態１によるディスク再生装置の動作を説明するためのフローチャートである。
【図３】この発明の実施の形態１によるディスク再生装置におけるディスクチェンジ時の制御の仕方を説明するための図である。
【図４】この発明の実施の形態１によるディスク再生装置におけるランダム選曲用のプレイリストを示す図である。
【符号の説明】
【００２２】
１  ラジオ、２  カセット、３  動作検知手段、４  ディスク駆動部、５  動作制御手段、６  選択動作判別手段、７  各曲記憶制御手段、８  記憶手段、９  再生手段、１０  スピーカ、１１  ディスク曲終端検知手段、１２  記憶読取手段。
【図１】
2006221746.tif 000003
【図２】
2006221746.tif 000004
【図３】
2006221746.tif 000005
【図４】
2006221746.tif 000006